(57)【要約】【課題】  本発明は、配送伝票に、その使用者の規模や状況に応じて、個別に変更する必要のない箇所やデザインを、予め印刷しておく等の事前準備をしておき、受取人情報欄、送付人情報欄、熨斗情報欄、また使用者の規模や状況に応じては包装紙情報欄、をコンピュータに登録したデータより自動印刷をするようにして、配送伝票を使用する流通事業者にとっては使い易く、お客様にとっては見易く、あらゆる情報を効率的に一覧で得られるようにした配送伝票を提供し、コスト削減と環境保護を両立せんとするものである。【解決手段】包装紙を使用しない贈答品の配送に用いられる配送伝票において、配送伝票の表面に、受取人情報欄と送付人情報欄と包装紙情報欄とを備えたことを特徴とする配送伝票である。【選択図】図１
2009107267.tif 000002
【特許請求の範囲】
【請求項１】
包装紙を使用しない贈答品の配送に用いられる配送伝票において、配送伝票の表面に、受取人情報欄と送付人情報欄と包装紙情報欄とを備えたことを特徴とする簡易包装用の配送伝票。
【請求項２】
熨斗情報欄を備えたことを特徴とする請求項１記載の簡易包装用の配送伝票。
【請求項３】
送付人情報欄が名刺のデザインで表示されていることを特徴とする請求項１又は２記載の簡易包装用の配送伝票。
【請求項４】
包装紙情報欄が包装紙の地模様のデザインで表示されていることを特徴とする請求項１乃至３のいずれかに記載の簡易包装用の配送伝票。
【請求項５】
包装紙情報欄が包装紙で完全包装した贈答品のデザインで表示されていることを特徴とする請求項１乃至３のいずれかに記載の簡易包装用の配送伝票。
【請求項６】
包装紙情報欄に販売店名や商標が具体的に表示されていることを特徴とする請求項４又は５記載の簡易包装用の配送伝票。
【請求項７】
熨斗情報欄が用途を表示する文字で表示されていることを特徴とする請求項２乃至６のいずれかに記載の簡易包装用の配送伝票。
【請求項８】
熨斗情報欄が、熨斗紙、熨斗袋又は短冊のデザインで表示されていることを特徴とする請求項２乃至６のいずれかに記載の簡易包装用の配送伝票。
【請求項９】
メッセージ欄が表示されていることを特徴とする請求項１乃至８のいずれかに記載の簡易包装用の配送伝票。
【発明の詳細な説明】
【技術分野】
【０００１】
本発明は、簡易包装（包装紙により贈答品の全面を包装することなく、体裁の関係から包装紙をわずかに使うか、あるいはまったく使わないようにした包装のこと）にて送られる贈答品の配送に使用される配送伝票に関し、さらに詳しくは配送伝票の表示面に、配送贈答品の受け取り手を示す受取人情報と、配送贈答品の送り手を示す送付人情報と、配送贈答品を販売した会社（あるいは取り扱った会社）などを示す包装紙情報と、配送贈答品の配送目的を示す熨斗情報とを一覧可能となる状態に表示してなる配送伝票に関する。
【背景技術】
【０００２】
一般的に季節の挨拶の贈答に当たるお中元やお歳暮、その他内祝、粗品、志、記念品、プレゼントなど各種の配送目的にかなう贈答品が、送付人（送り手）から受取人（受け取り手）に、配送業者を介して配送されている。
このように送り手から、受け取り手へ贈答品を配送するに際しては、受取人を特定するための受取人情報と、送り手を受取人に知らせるための送付人情報とが必須の情報となる。
【０００３】
すなわち、受取人情報は、配送業者が贈答品を正確に届けるための届け先を明示する事項であり、送付人情報は、受け取り手が受け取った贈答品は誰から送られてきたかを知るために必要な事項である。そもそも、送付人側からしても、自分が送った贈答品を受け取る受取人に、その贈答品の送付人は誰なのかを確実に理解してもらいたいという当然の心理がある（いわゆる名刺を添付するような意味合いもある）。
【０００４】
これに加えて、配送された贈答品が何の目的で送られたのかを、受け取り手に知らせるために, お中元やお歳暮、その他内祝、粗品、志、記念品、プレゼントなどの配送目的を具体的に伝えるための、熨斗情報というものも必要であった。
【０００５】
さらに、従来採用されていた贈答品に、目的に応じた熨斗紙をかけ、全面を包装紙で覆う完全包装の場合には、当該贈答品の取扱店（あるいは販売店）の情報（例えば信用力の高い一流デパートや趣味が良く品揃えも豊富な専門店などを意味する）が、贈答品を包装している包装紙を媒介して伝えられる。この包装紙情報は、その包装紙に化体している取扱店（販売店）の信用が、暗黙の了解の下に受け取り手に知らされるという働きを持っており、完全包装の場合には、贈答品と包装紙情報とが一体となっていたため、送られた贈答品自体の信用力をストレートに伝達できていた。
【特許文献１】特開２００１−２３９７７５号公報
【特許文献２】特開２００７−７９０６号公報
【発明の開示】
【発明が解決しようとする課題】
【０００６】
ところが近年、省資源、エコの名の下に包装紙で贈答品の全面を覆う完全包装が敬遠され始め、包装紙を一部にのみ使用する簡易包装が広まった。
この簡易包装では、配送伝票を貼付する目的で、贈答品にわずかの包装紙を巻き帯状に巻設するとか、お印程度に小さな包装紙を貼設するなどしていた。
ところで、わずかとはいえ包装紙を使用する簡易包装にあっては、贈答品を完全包装しないまでも、贈答品の一部に包装紙を巻設したり、貼設したりする必要があるため、その準備に意外と手間と人手がかかり、かつ簡易包装を粗雑に行った場合には、配送伝票添付箇所付近の体裁を損なったり、そこに配送伝票を貼付してもそれが簡単に破れたり、外れたりしてしまう心配があった。
また、簡易包装用の包装紙自体も、包装紙の本来の目的である贈答品保護の機能は持っておらず、その包装紙に化体している取扱店（販売店）の信用が、暗黙の了解の下に受け取り手に知らされる、という目的を果した後には破棄されることになり、森林保護がさしせまった現実問題となっている現在では、その必要性に疑問を持つ人も多い。
【０００７】
簡易包装でも一部に包装紙が使用されていれば、そこから包装紙情報は得られるが、包装紙をまったく使用せずに直接贈答品に配送伝票を貼付したり、贈答品を封入した封筒などのパッケージに配送伝票を貼付する場合には、包装紙情報を得ることができないという問題があった。
【０００８】
本発明は、配送伝票に、その使用者の規模や状況に応じて、個別に変更する必要のない箇所やデザインを、予め印刷しておく等の事前準備をしておき、受取人情報欄、送付人情報欄、熨斗情報欄、また使用者の規模や状況に応じては包装紙情報欄、をコンピュータに登録したデータより自動印刷をするようにして、配送伝票を使用する流通事業者にとっては使い易く、お客様にとっては見易く、あらゆる情報を効率的に一覧で得られるようにした配送伝票を提供し、コスト削減と環境保護を両立せんとするものである。
さらに、これらに代えて、事前印刷をすることなく、一度に全面印刷をすることで対処することも、もちろん可能である（少数印刷の場合に適する）。
【課題を解決するための手段】
【０００９】
本発明に係る配送伝票の請求項１のものは、包装紙を使用しない贈答品の配送に用いられる配送伝票において、配送伝票の表面に、受取人情報欄と送付人情報欄と包装紙情報欄とを備えたことを特徴とする簡易包装用の配送伝票である。
【００１０】
また請求項２は、熨斗情報欄を備えたことを特徴とする請求項１記載の簡易包装用の配送伝票である。
【００１１】
また請求項３は、送付人情報欄が名刺のデザインで表示されていることを特徴とする請求項１又は２記載の簡易包装用の配送伝票である。
【００１２】
また請求項４は、包装紙情報欄が包装紙の地模様のデザインで表示されていることを特徴とする請求項１乃至３のいずれかに記載の簡易包装用の配送伝票である。
【００１３】
また請求項５は、包装紙情報欄が包装紙で完全包装した贈答品のデザインで表示されていることを特徴とする請求項１乃至３のいずれかに記載の簡易包装用の配送伝票である。
【００１４】
また請求項６は、包装紙情報欄に販売店名や商標が具体的に表示されていることを特徴とする請求項４又は５記載の簡易包装用の配送伝票である。
【００１５】
また請求項７は、熨斗情報欄が用途を表示する文字で表示されていることを特徴とする請求項２乃至６のいずれかに記載の簡易包装用の配送伝票である。
【００１６】
また請求項８は、熨斗情報欄が、熨斗紙、熨斗袋又は短冊のデザインで表示されていることを特徴とする請求項２乃至６のいずれかに記載の簡易包装用の配送伝票である。
【００１７】
また請求項９は、メッセージ欄が表示されていることを特徴とする請求項１乃至８のいずれかに記載の簡易包装用の配送伝票である。
【発明の効果】
【００１８】
本発明に係る配送伝票は、少なくとも受取人情報と、送付人情報と、包装紙情報とを見易い形態でデザイン的にも美しく表示しているため、配送作業を正確に効率的に行うことができ、受取人にとっては送付人を瞬時に好感を持って理解することができ、簡易包装という条件下で配送伝票としての機能を十分に発揮できるという効果がある。
【００１９】
さらに熨斗情報欄を設けた場合には、送付人の贈答品贈答品送付の目的を、しゃれたデザインのもとで、瞬時に理解でき好感を得られ易いという効果がある。
【００２０】
本発明の請求項３乃至８の配送伝票によれば、さらにデザイン的価値を向上させて、配送伝票の利用価値をさらに高めるという効果がある。
【００２１】
本発明の請求項９の配送伝票によれば、メッセージ欄が設けられることで、送付人の気持ちを、一層臨場感を発揮できる状態で受取人に伝えることができるので、配送伝票の利用価値をさらに高めるという効果がある。
【発明を実施するための最良の形態】
【００２２】
以下、図面を参照して本発明の配送伝票の実施の形態を説明する。
図１〜図８は本発明の配送伝票の各種の実施例を示した正面図であり、図９〜図１１は配送伝票の各パーツに必要な事項を印字する状態を説明する実施例を示した正面図である。
【００２３】
図１〜図８に示す本発明に係る配送伝票１の表面には、受取人情報欄２、送付人情報欄３、包装紙情報欄４、さらに必要に応じて熨斗情報欄５、メッセージ欄６、各種コード欄７が備えられている。
【００２４】
配送伝票１は、お客様控え、売り場控え、贈答品添付用、原票などの各票を必要枚数重ね合わせた伝票綴り（複写コピー伝票が一般的）で構成されているが、重ね伝票に限られるものではなく、近年主流になりつつある、各票を一枚の伝票に集約したコンピュータ印刷用の配送伝票で、より大きな効果を発揮するものである。
【００２５】
さらに受取人情報欄２には、受取人の郵便番号、電話番号、住所、氏名などが表示されるもので、同じく送付人情報欄３には、送付人の郵便番号、電話番号、住所、氏名、肩書きなどが表示される。また送付人情報欄３は名刺のデザイン、すなわち住所や氏名などの全体を同書同大に表示するのではなく、名刺に表示されるように住所と氏名と肩書きの配列を変化させたり、氏名の部分を大きく表示したり、書体を変えて表示したりして、名前を強く印象付ける工夫を凝らすようにしても良い。
【００２６】
ついで包装紙情報欄４には、包装紙に関する情報が、例えば特定のデパートや専門店の専用包装紙の図柄のデザインを、そのまま地模様のデザインで表示したり、その専用包装紙で完全包装した贈答品のデザイン（正面図のみならず、斜視図の表示でも良い）で表示したりして臨場感を持たせるようにしても良い。
この包装紙情報４は、包装紙のデザインに加えて、その包装紙を使用する会社又は店の名称や商標を具体的に表示しても良い（図１の例では『戦国百貨店』がこれに当たる）。
【００２７】
また熨斗情報欄５は、図１乃至図４に示したように、例えば「お中元、お歳暮、粗品、内祝、志、記念品、プレゼント」などの文字で表示（その文字を正面から見たり、斜めから見た状態に変化させても良い）することや、水引などをあしらった、熨斗紙、熨斗袋、短冊のデザインで表示（そのデザインを正面から見たり、斜めから見た状態に変化させても良い）させることもできる。
さらにメッセージ欄６には、送付人から受取人に伝えたいメッセージ、例えば「お誕生日おめでとう」「お元気で」「合格おめでとう」などのメッセージを表示する
各種コード欄７には、ＱＲコード、バーコードなどの各種コードを表示する欄であり、この各種コード欄７の存在により利用価値は一層高まる。
【産業上の利用可能性】
【００２８】
本発明によれば、多数の贈答品を配送する機会の多い、デパート、専門店、インターネットショッピング店、多数の記念品やプレゼントを配送する機会の多い自動車会社、新聞社、食品メーカー、さらには配送業者などの各業界で利用可能である。また、パソコンや対応するソフトウェアの開発によって、中小の商店や個人宅でも、大手企業と同等の贈答品配送が可能となる。
【図面の簡単な説明】
【００２９】
図１〜図８は本発明の配送伝票の各種の実施例を示した正面図であり、図９〜図１１は本発明の配送伝票の各パーツに必要な事項を印字する状態を説明する実施例を示した正面図である。
【図１】本発明の配送伝票の実施例を示した正面図である。
【図２】本発明の配送伝票の他の実施例を示した正面図である。
【図３】本発明の配送伝票の他の実施例を示した正面図である。
【図４】本発明の配送伝票の他の実施例を示した正面図である。
【図５】本発明の配送伝票の他の実施例を示した正面図である。
【図６】本発明の配送伝票の他の実施例を示した正面図である。
【図７】本発明の配送伝票の他の実施例を示した正面図である。
【図８】本発明の配送伝票の他の実施例を示した正面図である。
【図９】本発明の配送伝票の各パーツに必要な事項を印字する状態を説明する実施例を示した正面図である。
【図１０】本発明の配送伝票の各パーツに必要な事項を印字する状態を説明する他の実施例を示した正面図である。
【図１１】本発明の配送伝票の各パーツに必要な事項を印字する状態を説明する他の実施例を示した正面図である。
【符号の説明】
【００３０】
１    配送伝票
２    受取人情報欄
３    送付人情報欄
４    包装紙情報欄
５    熨斗情報欄
６    メッセージ欄
７    各種コード欄
【図１】
2009107267.tif 000003
【図２】
2009107267.tif 000004
【図３】
2009107267.tif 000005
【図４】
2009107267.tif 000006
【図５】
2009107267.tif 000007
【図６】
2009107267.tif 000008
【図７】
2009107267.tif 000009
【図８】
2009107267.tif 000010
【図９】
2009107267.tif 000011
【図１０】
2009107267.tif 000012
【図１１】
2009107267.tif 000013